(57)【特許請求の範囲】
【請求項１】
液透過性の表面シートと、液不透過性の裏面側シートと、これらのシート間に介在された吸収体とを備えるとともに、
幅方向両側部に、股間部の前側から股間部の後側まで前後方向に沿って延在する立体ギャザーをそれぞれ備えた吸収性物品において、
前記立体ギャザーを展開した状態で、前記吸収体は、股間部に、その前側全体及び後側全体よりも幅方向外側に張り出す張出部分を有しており、
前記立体ギャザーは、前後方向において、前記吸収体の張出部分よりも前後両側に延在し、かつ当該立体ギャザーを有する前記吸収性物品の側部において、少なくとも前記吸収体の張出部分の裏側から前記吸収体の側方を回り込んで前記表面シートの側部上まで延在するとともに、その前記吸収体の裏側に位置する部分に、表側に隣接する部材に固定された付根部を有しており、
前記立体ギャザーにおける、前記表面シートの側部上の部分の前後両端部が、前記表面シートにおける前記張出部分より幅方向中央側に固定された非起立部とされるとともに、これら非起立部間の中間部が非固定の自由部とされており、
前記立体ギャザーを展開していない当該吸収性物品の展開状態で、前記立体ギャザーとともに前記吸収体の張出部分が、当該吸収性物品における前記張出部分より幅方向中央側の部分の上側に折り返るようになっており、
前記立体ギャザーにおける前記張出部分の裏側に位置する部分及び前記自由部のそれぞれに、細長状のギャザー弾性伸縮部材が前後方向に沿って伸長状態で固定されており、
前記ギャザー弾性伸縮部材の収縮力により、前記立体ギャザーとともに前記吸収体の張出部分が当該吸収性物品における前記張出部分より幅方向中央側の部分に対して立ち上がるように構成されている、
ことを特徴とする吸収性物品。
【請求項２】
前記吸収体は、本体部と、この本体部の幅方向両側に本体部とは別体としてそれぞれ設けられた、前記張出部分を有する補助部とを有している、請求項１記載の吸収性物品。
【請求項３】
前記張出部分は、幅方向中間部がその幅方向両側よりも表側に膨出するように構成されている、請求項１又は２記載の吸収性物品。
【請求項４】
前記張出部分の裏側に、前記張出部分の幅方向中間部をその幅方向両側よりも表側に膨出させるための膨出用弾性伸縮部材が幅方向に伸長した状態で固定されている、請求項３記載の吸収性物品。
【請求項５】
前記張出部分は、幅方向外側の部分と幅方向内側の部分とに分割されており、これら幅方向外側の部分と幅方向内側の部分との間を折り目として折り目が表側に膨出するように折れ曲がることによって、前記幅方向中間部がその幅方向両側よりも表側に膨出するように構成されている、請求項３又は４記載の吸収性物品。
【請求項６】
前記張出部分は、互いに厚みの異なる幅方向外側の部分と幅方向内側の部分とを一体的に備えるものであり、これら幅方向外側の部分と幅方向内側の部分との段差を折り目として折り目が表側に膨出するように折れ曲がることによって、前記幅方向中間部がその幅方向両側よりも表側に膨出するように構成されている、請求項３又は４記載の吸収性物品。
【請求項７】
前記張出部分は、幅方向外側の部分と幅方向内側の部分とを一体的に備えるとともに、前後少なくとも一方の端部に前記幅方向外側の部分と幅方向内側の部分との境界に向かう切り込み部が形成されたものであり、これら幅方向外側の部分と幅方向内側の部分との境界を折り目として折り目が表側に膨出するように折れ曲がることによって、前記幅方向中間部がその幅方向両側よりも表側に膨出するように構成されている、請求項３又は４記載の吸収性物品。
【請求項８】
前記立体ギャザーのうち前記吸収体の張出部分の裏側に位置する部分の一部又は全体が、その表側に隣接する部材に固定されている、請求項４記載の吸収性物品。
【請求項９】
前身頃及び後身頃を有する外装シートと、この外装シートの内面に固定された内装体とを備えており、
前記内装体が、前記液透過性の表面シートと、前記液不透過性の裏面側シートと、これらのシート間に介在された前記吸収体とを備えるとともに、幅方向両側部に、股間部の前側から股間部の後側まで前後方向に沿って延在する前記立体ギャザーをそれぞれ備えており、
前記外装シートの前身頃と後身頃とが両側部において接合されることにより、ウエスト開口部及び左右一対のレッグ開口部が形成された、パンツタイプ使い捨ておむつである、
請求項１〜８のいずれか１項に記載の吸収性物品。
【発明の詳細な説明】
【技術分野】
【０００１】
本発明は、股間において腿の付根に沿って延在する溝状の窪みに対するフィット性を向上させた吸収性物品に関するものである。
【背景技術】
【０００２】
従来の吸収性物品においては、いわゆる立体ギャザーにより脚周りのフィット性を確保し、脚周りからの漏れを防止することが一般的となっている。
【０００３】
他方、立体ギャザーの漏れ防止性能には限界があることも知られており、これを解決するものとして、立体ギャザーの幅方向間隔を狭くするとともに、吸収体を立体ギャザーの下側を通して立体ギャザーの幅方向外側にまで延在させ、吸収体における立体ギャザーの外側に位置する部分を腿の内側に当接させるもの（特許文献１、２参照）等が提案されている。
【先行技術文献】
【特許文献】
【０００４】
【特許文献１】特開２００４−０４９７０７号公報
【特許文献２】特開２００４−０４９７６３号公報
【発明の概要】
【発明が解決しようとする課題】
【０００５】
しかしながら、上記先行技術は立体ギャザーの先端部、及び吸収体における立体ギャザーの外側に位置する部分のいずれも、股間において腿の付根に沿って延在する溝状の窪み（以下、股間の腿付根窪みともいう）にフィットしなくなる或はし難くなるとともに、腿の付根周りがごわつく、嵩張るという問題点を有していた。
【０００６】
そこで本発明の主たる課題は、股間の腿付根窪みに対するフィット性を向上させた吸収性物品を提供することにある。
【課題を解決するための手段】
【０００７】
上記課題を解決した本発明は次のとおりである。
＜請求項１記載の発明＞
液透過性の表面シートと、液不透過性の裏面側シートと、これらのシート間に介在された吸収体とを備えるとともに、
幅方向両側部に、股間部の前側から股間部の後側まで前後方向に沿って延在する立体ギャザーをそれぞれ備えた吸収性物品において、
前記立体ギャザーを展開した状態で、前記吸収体は、股間部に、その前側全体及び後側全体よりも幅方向外側に張り出す張出部分を有しており、
前記立体ギャザーは、前後方向において、前記吸収体の張出部分よりも前後両側に延在し、かつ当該立体ギャザーを有する前記吸収性物品の側部において、少なくとも前記吸収体の張出部分の裏側から前記吸収体の側方を回り込んで前記表面シートの側部上まで延在するとともに、その前記吸収体の裏側に位置する部分に、表側に隣接する部材に固定された付根部を有しており、
前記立体ギャザーにおける、前記表面シートの側部上の部分の前後両端部が、前記表面シートにおける前記張出部分より幅方向中央側に固定された非起立部とされるとともに、これら非起立部間の中間部が非固定の自由部とされており、
前記立体ギャザーを展開していない当該吸収性物品の展開状態で、前記立体ギャザーとともに前記吸収体の張出部分が、当該吸収性物品における前記張出部分より幅方向中央側の部分の上側に折り返るようになっており、
前記立体ギャザーにおける前記張出部分の裏側に位置する部分及び前記自由部のそれぞれに、細長状のギャザー弾性伸縮部材が前後方向に沿って伸長状態で固定されており、
前記ギャザー弾性伸縮部材の収縮力により、前記立体ギャザーとともに前記吸収体の張出部分が当該吸収性物品における前記張出部分より幅方向中央側の部分に対して立ち上がるように構成されている、
ことを特徴とする吸収性物品。
【０００８】
（作用効果）
本発明に係る吸収性物品においては、ギャザー弾性伸縮部材の収縮力により立体ギャザーとともに吸収体の張出部分を有する部分がその幅方向中央側の部分に対して立ち上がり、立体ギャザー及び吸収体の張出部分の各先端部が股間の腿付根窪みに入り込んでフィットする。よって、股間の腿付根窪みに対するフィット性が向上する。さらに、吸収体の張出部分は股間の腿付根窪みに入り込んでフィットするため、この部分が原因でごわついたり、嵩張ったりし難い。また、立体ギャザーの内側に吸収体の張出部分が立ち上がるため、立体ギャザーを乗り越えようとする排泄物を吸収体の張出部分により吸収保持できるため、いわゆる横漏れ防止性能も向上する。
【０００９】
＜請求項２記載の発明＞
前記吸収体は、本体部と、この本体部の幅方向両側に本体部とは別体としてそれぞれ設けられた、前記張出部分を有する補助部とを有している、請求項１記載の吸収性物品。
【００１０】
（作用効果）
このように吸収体の張出部分を、本体部とは別体の補助部により設けると、補助部が本体部に対して折れ易いため、吸収体の張出部分を有する部分が立ち上がり易くなるとともに、身体の動きに対する追従性も向上する。
【００１１】
＜請求項３記載の発明＞
前記張出部分は、幅方向中間部がその幅方向両側よりも表側に膨出するように構成されている、請求項１又は２記載の吸収性物品。
【００１２】
（作用効果）
この場合、吸収体の張出部分を有する部分は略くの字状に立ち上がり、その先端部が股間の腿付根窪みに入り込み易くなるとともに、厚み方向の圧縮復元性が向上するため、身体の動きに対する追従性にも優れるようになる。
【００１３】
＜請求項４記載の発明＞
前記張出部分の裏側に、前記張出部分の幅方向中間部をその幅方向両側よりも表側に膨出させるための膨出用弾性伸縮部材が幅方向に伸長した状態で固定されている、請求項３記載の吸収性物品。
【００１４】
（作用効果）
このような膨出用弾性伸縮部材を備えることにより、所期の膨出形状を安定して形成及び維持でき、また前述の圧縮復元性もより一層のものとなる。
【００１５】
＜請求項５記載の発明＞
前記張出部分は、幅方向外側の部分と幅方向内側の部分とに分割されており、これら幅方向外側の部分と幅方向内側の部分との間を折り目として折り目が表側に膨出するように折れ曲がることによって、前記幅方向中間部がその幅方向両側よりも表側に膨出するように構成されている、請求項３又は４記載の吸収性物品。
【００１６】
（作用効果）
このように張出部分を幅方向外側の部分と幅方向内側の部分とに分割し、互いに別体とすることにより、その間を折り目として容易に折れ曲がるようになり、所期の膨出形状を安定して形成及び維持できるようになる。
【００１７】
＜請求項６記載の発明＞
前記張出部分は、互いに厚みの異なる幅方向外側の部分と幅方向内側の部分とを一体的に備えるものであり、これら幅方向外側の部分と幅方向内側の部分との段差を折り目として折り目が表側に膨出するように折れ曲がることによって、前記幅方向中間部がその幅方向両側よりも表側に膨出するように構成されている、請求項３又は４記載の吸収性物品。
【００１８】
（作用効果）
このように一体的な張出部分に、互いに厚みの異なる幅方向外側の部分と幅方向内側の部分とを設けることにより、その段差に力が集中して段差を折り目として容易に折れ曲がるようになり、所期の膨出形状を安定して形成及び維持できるようになる。
【００１９】
＜請求項７記載の発明＞
前記張出部分は、幅方向外側の部分と幅方向内側の部分とを一体的に備えるとともに、前後少なくとも一方の端部に前記幅方向外側の部分と幅方向内側の部分との境界に向かう切り込み部が形成されたものであり、これら幅方向外側の部分と幅方向内側の部分との境界を折り目として折り目が表側に膨出するように折れ曲がることによって、前記幅方向中間部がその幅方向両側よりも表側に膨出するように構成されている、請求項３又は４記載の吸収性物品。
【００２０】
（作用効果）
このように一体的な張出部分における前後少なくとも一方の端部に、幅方向外側の部分と幅方向内側の部分との境界に向かう切り込み部を形成することにより、切り込み部の先端に力が集中し、幅方向外側の部分と幅方向内側の部分との境界で容易に折れ曲がるようになり、所期の膨出形状を安定して形成及び維持できるようになる。
【００２１】
＜請求項８記載の発明＞
前記立体ギャザーのうち前記吸収体の張出部分の裏側に位置する部分の一部又は全体が、その表側に隣接する部材に固定されている、請求項４記載の吸収性物品。
【００２２】
（作用効果）
この場合、立体ギャザーと吸収体の張出部分との一体性が向上し、両者が所期の起立状態となり易くなるとともに、立体ギャザーが股間部において吸収体の張出部分により支持されて全体として倒れ難くなるため、いわゆる横漏れ防止性能も向上する。
【００２３】
＜請求項９記載の発明＞
前身頃及び後身頃を有する外装シートと、この外装シートの内面に固定された内装体とを備えており、
前記内装体が、前記液透過性の表面シートと、前記液不透過性の裏面側シートと、これらのシート間に介在された前記吸収体とを備えるとともに、幅方向両側部に、股間部の前側から股間部の後側まで前後方向に沿って延在する前記立体ギャザーをそれぞれ備えており、
前記外装シートの前身頃と後身頃とが両側部において接合されることにより、ウエスト開口部及び左右一対のレッグ開口部が形成された、パンツタイプ使い捨ておむつである、
請求項１〜８のいずれか１項に記載の吸収性物品。
【００２４】
（作用効果）
例えばパンツタイプ使い捨ておむつは装着者自身でおむつ交換を行う人等、どちらかといえば腿の付根が痩せていないような装着者の利用を想定したものであるが、腿の付根が痩せている人においてもニーズがないわけではない。また、パンツタイプ使い捨ておむつのユーザーは歩行や運動等、動きが比較的に激しい場合が多いため、腿の付根周りがごわつく、嵩張るというのは重要な問題である。よって、ごわつきや嵩張りが少なく、かつ股間の腿付根窪みに対するフィット性に優れる本発明は、このようなパンツタイプ使い捨ておむつに好適である。
【発明の効果】
【００２５】
以上のとおり、本発明によれば、股間の腿付根窪みに対するフィット性が向上する、等の利点がもたらされる。
【図面の簡単な説明】
【００２６】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部平面図である。
【図４】図１のＣ−Ｃ断面図である。
【図５】図１のＡ−Ａ断面図である。
【図６】図１のＢ−Ｂ断面図である。
【図７】図１のＤ−Ｄ断面図である。
【図８】立体ギャザーを展開した状態における断面図である。
【図９】立体ギャザーを展開した状態における内装体の平面図（内面側）である。
【図１０】おむつの装着状態を示す斜視図である。
【図１１】装着状態における断面図である。
【図１２】立体ギャザーを展開した状態における断面図である。
【図１３】立体ギャザーを展開した状態における内装体の平面図（内面側）である。
【図１４】立体ギャザーを展開した状態における内装体の平面図（内面側）である。
【発明を実施するための形態】
【００２７】
以下、本発明の一実施形態について、添付図面を参照しつつ詳説する。
図１〜図７は実施形態のパンツタイプ使い捨ておむつ１を示している。このパンツタイプ使い捨ておむつ１（以下、単におむつともいう。）は、前身頃Ｆ及び後身頃Ｂを有する外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である縦方向（前後方向）中央で折り畳まれ、その両側部が相互に熱溶着またはホットメルト接着剤などによって接合されることによって、ウエスト開口部及び左右一対のレッグ開口部が形成されたパンツタイプ使い捨ておむつとなる。
【００２８】
（外装シートの構造例）
外装シート２０は、図４〜図６にも示されるように、上層不織布２０Ａ及び下層不織布２０Ｂ（つまり、この形態では下層不織布が最外側不織布となる）からなる２層構造の不織布シートとされ、上層不織布２０Ａと下層不織布２０Ｂとの間、及び下層不織布２０Ｂをウエスト開口縁で内面側に折り返してなる折り返し部分２０Ｃの不織布間に各種弾性部材が配設され、伸縮性が付与されている。平面形状は、中間両側部に夫々脚部開口を形成するために形成された凹状の脚周りライン２９により、全体として擬似砂時計形状をなしている。
【００２９】
図示形態の外装シート２０においては、弾性部材として、図１〜図３に示される展開形状において、ウエスト開口部近傍２３に配置されたウエスト部弾性部材２４，２４…と、前身頃Ｆ及び後身頃Ｂに、縦方向に間隔をおいて幅方向に沿って配置された複数の腰周り弾性部材２５，２５…とを有するとともに、前身頃Ｆ及び後身頃Ｂのそれぞれにおいて、腰周り弾性部材群２５，２５…とは別に、前身頃Ｆと後身頃Ｂとを接合する両側部接合縁から幅方向中央に向かうにつれて反対の身頃側へ向かうように湾曲しつつ、内装体１０の両側部と重なる部位まで延在するとともに、互いに交差することなく間隔をおいて配置された複数本の湾曲弾性部材２６…、２８…を備えている。なお、本外装シート２０では、脚周りライン２９に沿って実質的に連続する、所謂脚周り弾性部材は設けられていない。
【００３０】
ウエスト部弾性部材２４，２４…は、前身頃Ｆと後身頃Ｂとが接合された側部接合縁２１、２２の範囲の内、ウエスト開口縁近傍に上下方向に間隔をおいて配設された複数条の糸ゴム状弾性部材であり、身体のウエスト部周りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４，２４…は、ウエスト部における下層不織布２０Ｂの折り返し部分２０Ｃの不織布間に挟持されているが、上層不織布２０Ａと下層不織布２０Ｂとの間に挟持しても良い。
【００３１】
腰周り弾性部材２５，２５…は、側部接合縁２１、２２の内、概ね上部から下部までの範囲に亘り、上下方向に間隔をおいて幅方向に沿って配設された糸ゴム状の弾性部材であり、前身頃Ｆ及び後身頃Ｂの腰周り部分に夫々幅方向の伸縮力を与え、おむつを身体に密着させるためのものである。なお、ウエスト部弾性部材２４、２４…と腰周り弾性部材２５、２５…との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰周り弾性部材として機能していればよい。
【００３２】
後身頃Ｂにおいて、腰周り弾性部材２５，２５…とは別に配設された背側湾曲弾性部材２６、２６…は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つおむつを展開した状態で内装体の両側部と重なる領域内に縦方向交差角θが６０°以下となる交差部分７０を有する所定の曲線に沿って配置されているものである。背側湾曲弾性部材２６は、一本であっても良いが複数本であるのが好ましく、図示例では５本の糸ゴム状弾性部材であり、これら背側湾曲弾性部材２６、２６…は互いに交差することなく、間隔をおいて配置されている。この背側湾曲弾性部材群２６、２６…は、２，３本程度の弾性伸縮部材を間隔を密にして実質的に一束として配置されるのではなく、所定の伸縮ゾーンを形成するように５〜２５ｍｍ、好ましくは５〜１６ｍｍ程度の間隔を空けて、３本以上、好ましくは５本以上配置される。
【００３３】
外装シート２０の前身頃Ｆにおいて、腰周り弾性部材群２５，２５…とは別に配設された腹側湾曲弾性部材２８，２８…も、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つおむつを展開した状態で内装体の両側部と重なる領域内に縦方向交差角θが６０°以下となる交差部分７０を有する所定の曲線に沿って配置されている。腹側湾曲弾性部材２８，２８…は、一本であっても良いが複数本であるのが好ましく、図示例では５本の糸状弾性部材であり、これら腹側湾曲弾性部材２８，２８…は、互いに交差することなく、間隔をおいて配置されている。この腹側湾曲弾性部材群２８、２８…も、２，３本程度の弾性伸縮部材を間隔を密にして実質的に一束として配置されるのではなく、所定の伸縮ゾーンを形成するように５〜２５ｍｍ、好ましくは５〜１６ｍｍ程度の間隔を空けて、３本以上、好ましくは５本以上配置される。
【００３４】
なお、図示例では、前身頃Ｆ及び後身頃Ｂに配置された腰周り弾性部材２５，２５…及び湾曲弾性部材２６…、２８…は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。例えば、後者の例としては、腰周り弾性部材２５，２５…及び湾曲弾性部材２６…、２８…を、一方側の側部接合縁２２から内装体１０を横切って他方（反対）側の側部接合縁２２まで連続的に設けた後に、内装体１０を横切る部分の一部又は全部を切断し、不連続とする一般的な形態が含まれる。弾性部材を内装体１０と重なる部分で不連続とすることにより、内装体（特に吸収体１３）の幅方向の縮こまりをより防止することができる。もちろん、腰周り弾性部材２５，２５…及び湾曲弾性部材２６…、２８…を、内装体１０を横切って連続的に配置することもできる。
【００３５】
上述した外装シート２０は、例えば特開平４−２８３６３号公報や、特開平１１−３３２９１３号公報記載の技術により製造することができる。また、湾曲弾性部材２６…、２８…を内装体１０上で切断し不連続化するには、特開２００２−３５０２９号公報、特開２００２−１７８４２８号公報及び特開２００２−２７３８０８号公報に記載される切断方法が好適に採用される。
【００３６】
図示例とは異なり、湾曲弾性部材を、前身頃Ｆ及び後身頃Ｂのいずれか一方にのみ設けるだけでも良い。また、湾曲弾性部材２６…、２８…を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲９０における最小縦方向離間距離は５〜２０ｍｍ程度とし、この部分に後述する広幅の固定領域を設けるのが好ましい。
【００３７】
さらに、湾曲弾性部材２６…、２８…は図示例のようにその全体が湾曲していなくても良く、部分的に直線状の部分を有していても良い。
【００３８】
（内装体と外装シートとの固定）
内装体１０と外装シート２０との固定は特徴的な構造となっている。図３に示すように、おむつを展開した状態で、湾曲弾性部材２６…、２８…と縦方向との鋭角側交差角θが６０°以下となる交差部分７０（図３で二点鎖線で囲まれた点模様部分）のうち８０％以上の縦方向範囲（図示例では全縦方向範囲）では、外装シート２０と内装体１０とが非固定とされ、これ以外の部分８０，８１，８２において外装シート２０と内装体１０とがホットメルト接着剤等の接合手段により固定されている。これにより、湾曲弾性部材２６…、２８…の収縮力が内装体１０の側部に殆ど又は全く加わらなくなり、その結果、湾曲弾性部材２６…、２８…と内装体１０の両側部とが重なる領域においてもおむつの厚み及び硬さが周囲と同程度となり、内装体１０の内面に横皺も発生し難くなる。なお、交差部分７０のうち８０％以上の縦方向範囲が固定部となる限り、図示例のように全体にわたり連続的に固定する形態だけでなく、交差部分のうちの一部を非固定としたり、また交差部分内で間欠的に固定したりすることも可能である。
【００３９】
他方、上述のように、交差部分７０を含む範囲に非固定領域７１を設けると、交差部分７０と同じ縦方向範囲では、外装シート２０と内装体１０との固定領域が少なくならざるを得ない。よって、おむつを展開した状態で、縦方向の位置が交差部分７０と同じ範囲では、交差部分７０の幅方向中央側に、弾性部材を有しない非伸縮領域を設けるとともにその部分を外装シート２０と内装体１０との固定領域８０とし、縦方向の位置が交差部分７０のウエスト側の範囲では、交差部分７０の幅方向中央側縁よりも幅方向外側から交差部分７０の幅方向中央側にかけて、弾性部材を有しない非伸縮領域を設けるとともにその部分を外装シート２０と内装体１０との固定領域８１とするのが望ましい。具体的には、図示例のように、外装シート２０と内装体１０との固定幅を、交差部分７０と同じ縦方向範囲では幅方向両側の交差部分７０間の間隔以下とし、交差部分７０のウエスト側ではそれよりも広くする（図示例のように段階的に拡大しても良いし、連続的に拡大しても良い）ことを提案する。これにより、内装体１０の固定がより強固となる。
【００４０】
また、前身頃Ｆ及び後身頃Ｂにそれぞれ湾曲弾性部材２６…、２８…を配置するとともに、前後の湾曲弾性部材２６…、２８…を互いに交差させずに縦方向離間範囲９０を確保するとともに、この縦方向離間範囲９０においても、交差部分７０の幅方向中央側縁よりも幅方向外側から交差部分７０の幅方向中央側にかけて、弾性部材を有しない非伸縮領域を設けるとともにその部分を外装シート２０と内装体１０との固定領域８２とし、縦方向離間範囲９０における固定幅を、交差部分７０と同じ縦方向範囲における固定幅よりも広くすることも提案される。これにより、内装体１０の固定をより一層強固にすることができる。
【００４１】
（前後押えシート）
図１及び図４にも示されるように、外装シート２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００４２】
図示形態のように、前後押えシート５０，６０を別体として取り付けると、素材選択の自由度が高くなる利点があるものの、資材や製造工程が増加する等のデメリットもある。そのため、外装シート２０をおむつ１内面に折り返してなる折り返し部分２０Ｃを、吸収パッド２００と重なる部分まで延在させて、前述の押えシート５０，６０と同等の部分を形成することもできる。
【００４３】
（内装体の構造例）
内装体１０は、図５〜図７に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００４４】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００４５】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。この液不透過性裏面側シート１２としては、排便や尿などの褐色が出ないように不透明のものを用いるのが望ましい。具体的には、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００４６】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。
【００４７】
図８及び図９に示すように、吸収体１３は、股間部に、その前後両側の部分よりも幅方向外側に張り出す張出部分１３Ｓを有している。吸収体１３は、図１４（ａ）に示すように張出部分１３Ｓを含めた一体構造とすることもできるが、図１〜図９に示す示形態のように、本体部１３Ｍと、この本体部１３Ｍの幅方向両側に本体部１３Ｍとは別体としてそれぞれ設けられた、張出部分１３Ｓをなす補助部１３Ａとを有する分割構造を採用するのが望ましい。また、このような分割構造とする場合、吸収体１３の本体部１３Ｍの形状は、図示形態のように背側及び腹側に対して股間部の幅が狭い括れ形状（砂時計形状）とする他、長方形状とすることもできる。さらに、吸収体１３の本体部１３Ｍを括れ形状とする場合、図１〜図９に示す示形態のように、補助部１３Ａの全体が括れ部より幅方向外側に位置する形態の他、図１４（ｂ）に示すように、補助部１３Ａの幅方向内側の一部が括れ部内に位置し、幅方向外側の残部が張出部分１３Ｓとして括れ部の幅方向外側に位置する形態とすることもできる。
【００４８】
内装体１０の両側部には脚周りにフィットする立体ギャザーＢＳが形成されている。この立体ギャザーＢＳはギャザーシート１５により形成され、ギャザーシート１５としては、図６及び図７に示されるように、折返しによって二重シートとした不織布が好適に用いられる。ギャザーシート１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４９】
特徴的には、立体ギャザーＢＳは、液透過性表面シート１１によって巻き込まれた吸収体１３の側縁部をさらにその上側から巻き込んで吸収体１３の裏側に至り、張出部分１３Ｓの裏側を越えて幅方向中央側に延在している。つまり、立体ギャザーＢＳは、少なくとも吸収体１３の張出部分１３Ｓの裏側から吸収体１３の側方を回り込んで表面シート１１の側部上まで延在している。そして、立体ギャザーＢＳにおける吸収体１３の裏側に位置する部分はその表側に対向する部材（図示例では表面シート１１の裏側巻き込み部分）にホットメルト接着剤等によって接合されて付根部が形成され、この付根部よりも先端側の部分のうち前後両端部がその内側に位置する部材（図示例では表面シート１１）に固定された非起立部１８，１８とされ、これら非起立部１８，１８間の中間部は非固定の自由部１９とされている。
【００５０】
また、立体ギャザーＢＳは、図示例では二重シート不織布によって形成されたギャザーシート１５の内部に、前後方向に沿う細長状のギャザー弾性伸縮部材１６、１６…が幅方向に間隔を空けて複数本、前後方向に沿う伸長状態で挟持固定されており、このうちの付根側の複数本が吸収体１３の張出部分１３Ｓの幅方向外側部分の裏側に位置し、先端側の複数本が自由部に位置している。ギャザー弾性伸縮部材１６、１６…は、吸収体１３の張出部分１３Ｓの幅方向外側部分の裏側、及び自由部の両方にそれぞれ少なくとも１本設けるのが好ましい。
【００５１】
ギャザー弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル、天然ゴム等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００５２】
なお、図示例の立体ギャザーＢＳでは、液不透過性裏面側シート１２の幅方向両側の部分が二重シート状のギャザーシート１５の内部まで進入し、図６に示されるように、立体ギャザーＢＳの下端側において防漏性を向上する構造となっているが、液不透過性裏面側シート１２を立体ギャザーＢＳ内に進入させなくともよい。
【００５３】
以上のように構成された使い捨ておむつは、図１０に示すような装着状態では、図１１に示すように股間部においてギャザー弾性伸縮部材１６の収縮力により立体ギャザーＢＳとともに吸収体１３の張出部分１３Ｓを有する部分がその幅方向中央側の部分に対して立ち上がり、立体ギャザーＢＳ及び吸収体１３の張出部分１３Ｓの各先端部が股間の腿付根窪みに入り込んでフィットする。よって、股間の腿付根窪みに対するフィット性が向上する。さらに、吸収体１３の張出部分１３Ｓは股間の腿付根窪みに入り込んでフィットするため、この部分が原因でごわついたり、嵩張ったりし難い。また、立体ギャザーＢＳの内側に吸収体１３の張出部分１３Ｓが立ち上がるため、立体ギャザーＢＳを乗り越えようとする排泄物を吸収体１３の張出部分１３Ｓにより吸収保持できるため、いわゆる横漏れ防止性能も向上する。
【００５４】
しかも、図１〜図９に示す示形態のように、立体ギャザーＢＳにおける吸収体１３の張出部分１３Ｓの裏側に位置する部分の全体（一部でも良い）が、その表側に隣接する部材（図示例では表面シート１１の裏側巻き込み部分）に固定されていると、立体ギャザーＢＳと吸収体１３の張出部分１３Ｓとの一体性が向上し、両者が所期の起立状態となり易くなるとともに、立体ギャザーＢＳが股間部において吸収体１３の張出部分１３Ｓにより支持されて全体として倒れ難くなるため、いわゆる横漏れ防止性能も向上する。もちろん、立体ギャザーＢＳ及び吸収体１３の張出部分１３Ｓの独立性を重視し、図１２に示す例のように、立体ギャザーＢＳにおける吸収体１３の張出部分１３Ｓの裏側に位置する部分の全体（又は先端側部分でも良い）を、その表側に隣接する部材（図示例では表面シート１１の裏側巻き込み部分）に固定せずに、これよりも幅方向中央側の部分をその表側に隣接する部材に固定し、付根部としても良い。
【００５５】
また、図１〜図９に示す示形態のように、吸収体１３の張出部分１３Ｓを、本体部１３Ｍとは別体の補助部１３Ａにより設けると、補助部１３Ａが本体部１３Ｍに対して折れ易いため、吸収体１３の張出部分１３Ｓが立ち上がり易くなるとともに、身体の動きに対する追従性も向上する。
【００５６】
他方、吸収体１３の張出部分１３Ｓは平坦な形状でも良いが、図１〜図９に示す示形態のように、張出部分１３Ｓの幅方向中間部がその幅方向両側よりも表側に膨出するように構成されていると好ましい。これにより、吸収体１３の張出部分１３Ｓを有する部分が略くの字状に立ち上がり、その先端部が股間の腿付根窪みに入り込み易くなるとともに、厚み方向の圧縮復元性が向上するため、身体の動きに対する追従性にも優れるようになる。
【００５７】
吸収体１３の張出部分１３Ｓをこのような膨出形状とする具体的手段としては、予め張出部分１３Ｓを所望の膨出形状に成形する他、次のような手段が提案される。すなわち第１の手段は、図５、図８及び図９に示すように、吸収体１３の張出部分１３Ｓの裏側に、膨出用弾性伸縮部材１７を幅方向に伸長した状態で固定するものである。膨出用弾性伸縮部材１７としては、糸状、紐状等の細長状のものの他、テープ状やシート状のもの等も用いることができ、図示例では糸状の膨出用弾性伸縮部材１７を前後方向に間隔を空けて複数本設けている。このような膨出用弾性伸縮部材１７を備えることにより、所期の膨出形状を安定して形成及び維持でき、また前述の圧縮復元性もより一層のものとなる。
【００５８】
第２の手段は、図５、図８及び図９に示すように、吸収体１３の張出部分１３Ｓを、幅方向外側の部分と幅方向内側の部分とに分割して互いに別体とするものである。この場合、吸収体１３の張出部分１３Ｓは、幅方向外側の部分と幅方向内側の部分との間を折り目として折り目が表側に膨出するように折れ曲がり易くなり、所期の膨出形状を安定して形成及び維持できるようになる。
【００５９】
第３の手段は、図１２に示すように、吸収体１３の張出部分１３Ｓを幅方向に分割せずに一体に形成するとともに、その幅方向外側の部分Ａ３の厚みと幅方向内側の部分Ａ４の厚みとを異ならしめるものである。この場合、吸収体１３の張出部分１３Ｓは、幅方向外側の部分Ａ３と幅方向内側の部分Ａ４との段差に力が集中して段差を折り目として折り目が表側に膨出するように折れ曲がり易くなり、所期の膨出形状を安定して形成及び維持できるようになる。
【００６０】
第４の手段は、図１３に示すように、吸収体１３の張出部分１３Ｓを幅方向に分割せずに一体に形成するとともに、その前後両端部（いずれか一端部でも良い）に、幅方向外側の部分Ａ５と幅方向内側の部分Ａ６との境界に向かう切り込み部１３ｃ、例えば図示例のように境界上に頂点を有する三角形状の切り込み部（切り欠き部）１３ｃを形成するものである。この場合、吸収体１３の張出部分１３Ｓにおける切り込み部１３ｃの先端に力が集中しては、幅方向外側の部分Ａ５と幅方向内側の部分Ａ６との境界を折り目として折り目が表側に膨出するように折れ曲がり易くなり、所期の膨出形状を安定して形成及び維持できるようになる。
【００６１】
なお、これら第１〜第４の手段は適宜組み合わせて適用できるものである。
【産業上の利用可能性】
【００６２】
本発明は、上記例のようなパンツタイプ使い捨ておむつの他、パッドタイプやテープタイプの使い捨ておむつ、或いは生理用ナプキン等、吸収性物品全般において利用できるものである。
【符号の説明】
【００６３】
１…パンツタイプ使い捨ておむつ、１０…内装体、１１…液透過性表面シート、１２…液不透過性裏面側シート、１３…吸収体、１４…包装シート、１５…ギャザーシート、１６…糸状弾性伸縮部材、２０…外装シート、２１・２２…側部接合縁、２４…ウエスト部弾性部材、２５…腰周り弾性部材、２６…背側湾曲弾性部材、２８…腹側湾曲弾性部材、２９…脚周りライン、２０Ｃ…外装シート折り返し部、７０…交差部分、７１…非固定領域、８０，８１，８２…固定領域、θ…縦方向交差角、Ｆ…前身頃、Ｂ…後身頃。
【図１】
0005975552.tif 000002
【図２】
0005975552.tif 000003
【図３】
0005975552.tif 000004
【図４】
0005975552.tif 000005
【図５】
0005975552.tif 000006
【図６】
0005975552.tif 000007
【図７】
0005975552.tif 000008
【図８】
0005975552.tif 000009
【図９】
0005975552.tif 000010
【図１０】
0005975552.tif 000011
【図１１】
0005975552.tif 000012
【図１２】
0005975552.tif 000013
【図１３】
0005975552.tif 000014
【図１４】
0005975552.tif 000015